(57)【特許請求の範囲】
【請求項１】
通信ネットワーク上の上位ノードに接続される通信設備の設定を管理する設定管理システムであって、
前記通信設備が接続される上位ノードの接続条件及び当該通信設備の設置環境に基づいた設定情報を蓄積する設定情報蓄積部と、
前記設定情報蓄積部に接続され、前記通信ネットワークを通じて取得される設定要求に応じて、前記設定情報蓄積部を照合して、前記設定情報を読み出し、前記通信設備へ導入させる情報管理部と、
前記通信ネットワークを通じて、前記通信設備と前記情報管理部とを接続する通信インターフェースと、
前記情報管理部に接続されている通信設備に関する上位ノードの接続条件及び当該通信設備の設置環境に基づいた設置環境情報を前記設定要求として、前記通信インターフェースを通じて前記情報管理部に送信する設定要求部と、
前記設定要求に応じて読み出された設定情報を、前記通信インターフェースを通じて、前記情報管理部から前記通信設備に導入させる設定実行部と、
前記設定情報に応じたテストパターンと、当該テストパターンによる前記通信設備の動作結果を評価するための評価情報とを含む試験情報を蓄積する試験情報蓄積部と、
前記通信設備に接続され、当該通信設備の動作に基づいて出力される出力信号を検出する試験装置と、
試験情報要求に応じて読み出された試験情報を、前記通信インターフェースを通じて、前記通信設備に入力し、当該試験情報に応じたテストパターンを動作させ、その出力信号を、前記試験装置に検出させる試験実行部と、
前記評価情報に基づいて、前記試験装置により検出された出力信号によって、当該通信設備の動作結果を評価する評価部と
を備え、
前記情報管理部は、前記試験情報蓄積部に接続され、前記通信ネットワークを通じて取得される試験情報要求に応じて、前記試験情報蓄積部を照合して、前記試験情報を読み出し、前記通信設備、前記試験装置、又は前記試験実行部のいずれかに導入させる機能を有し、
前記試験情報には、前記通信設備の各モジュールの動作確認、及び通信レベルの確認を行うために必要な動作パターンと、その結果を評価するための出力レベルや信号パターン、バジェット値が含まれる
ことを特徴とする設定管理システム。
【請求項２】
前記バジェット値には、光送信モジュール出力光パワーと光受信モジュールの受信感度の差で決まる、光伝送路に許容される伝送損失値が含まれることを特徴とする請求項１に記載の設定管理システム。
【請求項３】
前記情報管理部は、前記情報の読み出し及び導入に関する処理の実行結果を、実行処理履歴として記録する履歴収集部をさらに備えることを特徴とする請求項１又は２に記載の設定管理システム。
【請求項４】
前記通信設備が接続される上位ノードの接続条件及び当該通信設備の設置環境に基づいた設定情報及び前記試験情報を、所定のプログラムを用いて生成する情報生成部をさらに備えることを特徴とする請求項２に記載の設定管理システム。
【請求項５】
通信ネットワーク上の上位ノードに接続される通信設備の設定を管理する設定管理方法であって、
前記通信設備が接続される上位ノードの接続条件及び当該通信設備の設置環境に基づいた設定情報を設定情報蓄積部に蓄積する情報蓄積ステップと、
前記通信ネットワークに接続可能な通信インターフェースを通じて、前記設定情報蓄積部に接続された情報管理部と前記通信設備とを接続する通信接続ステップと、
前記情報管理部に接続されている通信設備に関する上位ノードの接続条件及び当該通信設備の設置環境に基づいた設置環境情報を設定要求として、前記通信インターフェースを通じて、前記情報管理部に送信する設定要求ステップと、
前記情報管理部において、前記通信ネットワークを通じ、取得される設定要求に応じて、前記設定情報蓄積部を照合し、前記設定情報を読み出し、前記通信設備へ導入させる情報管理ステップと、
前記設定要求に応じて読み出された設定情報を、前記通信インターフェースに接続された設定実行部を通じて、前記情報管理部から前記通信設備において実行させる設定実行ステップと
を備え、
前記情報蓄積ステップでは、前記設定情報の蓄積とともに、前記設定情報に応じたテストパターンと、当該テストパターンによる前記通信設備の動作結果を評価するための評価情報とを含む試験情報を試験情報蓄積部に蓄積しておき、
前記設定要求ステップと併せて、前記通信設備に、当該通信設備の動作に基づいて出力される出力信号を検出する試験装置を接続するとともに、前記設定実行部から試験情報要求を送信する試験実行要求ステップと、
前記設定要求部から送信された試験情報要求に応じ、前記情報管理部において、前記試験情報蓄積部を照合して、前記試験情報を読み出し、前記通信設備、前記試験装置、又は前記試験実行部のいずれかに導入させる試験情報導入ステップと、
を行い、
前記設定実行ステップの後に、
前記通信設備において、前記試験情報要求に応じて読み出された試験情報に応じたテストパターンを動作させ、その出力信号を、前記試験装置に検出させる試験実行ステップと、
前記評価情報に基づいて、前記試験装置により検出された出力信号によって、当該通信設備の動作結果を評価する評価ステップと
を行い、
前記試験情報には、前記通信設備の各モジュールの動作確認、及び通信レベルの確認を行うために必要な動作パターンと、その結果を評価するための出力レベルや信号パターン、バジェット値が含まれる
ことを特徴とする設定管理方法。
【請求項６】
前記バジェット値には、光送信モジュール出力光パワーと光受信モジュールの受信感度の差で決まる、光伝送路に許容される伝送損失値が含まれることを特徴とする請求項５に記載の設定管理方法。
【請求項７】
前記情報管理部において、前記情報の読み出し及び導入に関する処理の実行結果を、実行処理履歴として記録する履歴収集ステップをさらに備えることを特徴とする請求項５又は６に記載の設定管理方法。
【請求項８】
前記通信設備が接続される上位ノードの接続条件及び当該通信設備の設置環境に基づいた設定情報及び前記試験情報を、所定のプログラムを用いて生成する情報生成ステップをさらに備えることを特徴とする請求項６又は７に記載の設定管理方法。
【発明の詳細な説明】
【技術分野】
【０００１】
本発明は、集線装置等の通信設備を現地にて設置するにあたり、上位ノードに接続することのみで、即時に通信ネットワークと疎通可能となる設定管理システム及び設定管理方法に関する。
【背景技術】
【０００２】
高速デジタル通信を実現する通信技術として、アナログ電話回線をデジタル加入者線として利用するＸＤＳＬ（X Digital Subscriber Line：Ｘディジタル加入者回線）、ＦＴＴＨ（Fiber To The Home：家庭への光ファイバ）、高速光アクセス回線などの種々の通信回線網が利用されている。また、近年では、インターネットプロトコル技術を利用し、個別に機能していた固定電話網や携帯電話網を高速なＩＰ通信ネットワークに統合する次世代通信ネットワーク（ＮＧＮ：Next Generation Network ）の構築が進められている。
【０００３】
このような通信回線網では、例えば、メタリック線を利用したアナログ電話回線と接続する中継多重装置（DSLAM：Digital Subscriber Line Access Multiplexer）や、各種のアクセス回線と接続するマルチアクセスサービスノード（MSAN：Multi-Service Access Nodes）などの通信機器（通信設備）を電話会社の局舎内に設置して、この通信機器がデジタル加入者線を介して各ユーザー装置と接続し、ユーザー装置との間のデータ通信を実現している（例えば、特許文献１）。
【０００４】
ところで、通信機器は、設置場所に応じて異なる通信環境を設定させる必要がある。そのため、局舎に通信機器を設置する場合には、各作業員が設計情報に基づいて通信機器を個別に設定している。
【先行技術文献】
【特許文献】
【０００５】
【特許文献１】特開２００４−３２０１３１号公報
【発明の概要】
【発明が解決しようとする課題】
【０００６】
しかしながら、通信設備の設定処理は、通信設備が接続される上位ノードの接続条件及び当該通信設備の設置環境に基づいた設定情報を設定しなければならないため、設定情報の入力作業は、ある程度通信ネットワークの知識を持った管理者が行う必要がある。そのため、各作業員が自己の判断で設定処理を行うのでは、その作業員の知識によっては、通信設備の品質が低下する問題もある。
【０００７】
また、通信設備を新たに局舎内に設置する場合には、作業員が設置場所に出向いて設定を行わなければならないため、通信設備の設置には、設置件数に応じて多くの作業員が必要となり、多大な手間とコストが掛かるという問題があった。
【０００８】
さらに、現在、通信設備を設置する際における管理者側と作業員と連絡は、例えば、電子メール等を用いて行われており、管理者側には、現場へ指示した後は設置報告されるまで情報が得ることができなかった。そのため、通信設備の設置に関して、設計情報の連絡漏れや誤情報の伝達が生じるとともに、作業ログ等の管理が不正確であるという問題も生じていた。
【０００９】
そこで、本発明は、上記のような問題を解決するものであり、通信設備を現地において、通信ネットワーク上の上位ノードと接続するにあたり、上位ノードに接続することのみで、即時に通信ネットワークと疎通可能として、通信設備を設置するためのコストを低減し、設置スピードを高めることができるとともに、通信設備設置に関する情報を一元化して、情報の共有及び情報管理を行うことができる設定管理システム及び設定管理方法を目的とする。
【課題を解決するための手段】
【００１０】
上記課題を解決するために、本発明は、通信ネットワーク上の上位ノードに接続される通信設備の設定を管理する設定管理システムであって、通信設備が接続される上位ノードの接続条件及び当該通信設備の設置環境に基づいた設定情報を蓄積する設定情報蓄積部と、設定情報蓄積部に接続され、通信ネットワークを通じて取得される設定要求に応じて、設定情報蓄積部を照合して、設定情報を読み出し、通信設備へ導入させる情報管理部と、通信ネットワークを通じて、通信設備と情報管理部とを接続する通信インターフェースと、情報管理部に接続されている通信設備に関する上位ノードの接続条件及び当該通信設備の設置環境に基づいた設置環境情報を設定要求として、通信インターフェースを通じて情報管理部に送信する設定要求部と、設定要求に応じて読み出された設定情報を、通信インターフェースを通じて、情報管理部から通信設備に導入させる設定実行部と、前記設定情報に応じたテストパターンと、当該テストパターンによる前記通信設備の動作結果を評価するための評価情報とを含む試験情報を蓄積する試験情報蓄積部と、前記通信設備に接続され、当該通信設備の動作に基づいて出力される出力信号を検出する試験装置と、試験情報要求に応じて読み出された試験情報を、前記通信インターフェースを通じて、前記通信設備に入力し、当該試験情報に応じたテストパターンを動作させ、その出力信号を、前記試験装置に検出させる試験実行部と、前記評価情報に基づいて、前記試験装置により検出された出力信号によって、当該通信設備の動作結果を評価する評価部とを備え、前記情報管理部は、前記試験情報蓄積部に接続され、前記通信ネットワークを通じて取得される試験情報要求に応じて、前記試験情報蓄積部を照合して、前記試験情報を読み出し、前記通信設備、前記試験装置、又は前記試験実行部のいずれかに導入させる機能を有し、前記試験情報には、前記通信設備の各モジュールの動作確認、及び通信レベルの確認を行うために必要な動作パターンと、その結果を評価するための出力レベルや信号パターン、バジェット値が含まれることを特徴とする。
【００１１】
また、他の発明は、通信ネットワーク上の上位ノードに接続される通信設備の設定を管理する設定管理方法であって、具体的には、
（１）通信設備が接続される上位ノードの接続条件及び当該通信設備の設置環境に基づいた設定情報を設定情報蓄積部に蓄積する情報蓄積ステップと、
（２）通信ネットワークに接続可能な通信インターフェースを通じて、設定情報蓄積部に接続された情報管理部と通信設備とを接続する通信接続ステップと、
（３）情報管理部に接続されている通信設備に関する上位ノードの接続条件及び当該通信設備の設置環境に基づいた設置環境情報を設定要求として、通信インターフェースを通じて、情報管理部に送信する設定要求ステップと、
（４）情報管理部において、通信ネットワークを通じ、取得される設定要求に応じて、設定情報蓄積部を照合し、設定情報を読み出し、通信設備へ導入させる情報管理ステップと、
（５）設定要求に応じて読み出された設定情報を、通信インターフェースに接続された設定実行部を通じて、情報管理部から通信設備において導入させる設定実行ステップと
を有し、
前記情報蓄積ステップでは、前記設定情報の蓄積とともに、前記設定情報に応じたテストパターンと、当該テストパターンによる前記通信設備の動作結果を評価するための評価情報とを含む試験情報を試験情報蓄積部に蓄積しておき、前記設定要求ステップと併せて、前記通信設備に、当該通信設備の動作に基づいて出力される出力信号を検出する試験装置を接続するとともに、前記設定実行部から試験情報要求を送信する試験実行要求ステップと、前記設定要求部から送信された試験情報要求に応じ、前記情報管理部において、前記試験情報蓄積部を照合して、前記試験情報を読み出し、前記通信設備、前記試験装置、又は前記試験実行部のいずれかに導入させる試験情報導入ステップとを行い、前記設定実行ステップの後に、前記通信設備において、前記試験情報要求に応じて読み出された試験情報に応じたテストパターンを動作させ、その出力信号を、前記試験装置に検出させる試験実行ステップと、前記評価情報に基づいて、前記試験装置により検出された出力信号によって、当該通信設備の動作結果を評価する評価ステップとを行い、前記試験情報には、前記通信設備の各モジュールの動作確認、及び通信レベルの確認を行うために必要な動作パターンと、その結果を評価するための出力レベルや信号パターン、バジェット値が含まれることを特徴とする。
【００１２】
ここで、通信設備とは、例えば、既存の電話回線、ｘＤＳＬ、光ファイバ、ＣＡＴＶ、又は無線通信などのアクセス網に設置される、多重化（集線）装置、交換機、スイッチ（例えば、ＤＳＬＡＭ、ＧＥ−ＰＯＮ、Ｅｔｈｅｒ−ＳＷなど）等のほか、例えば、２．１／２．５ＧＨｚ帯、９００ＭＨｚ帯などの無線通信や光ファイバなど、各種の回線を１つのシャーシに収容可能なマルチアクセスサービスノード（ＭＳＡＮ：Multi-Service Access Nodes）が含まれる。さらに、次世代通信ネットワーク（ＮＧＮ：Next Generation Network）上に配置されるパケット伝送装置（ＰＴＮ：Packet Transfer Node）も含まれる。
【００１３】
また、設定情報とは、例えば、各プロトコルのアドレス情報、経路情報を示したルーティング情報、通信レベル情報、通信ネットワークの通信範囲を制限するフィルタリング情報などが含まれる。また、この設定情報には、通信機器を設置する際に必要なその他の情報が含まれ、例えば、通信機器の設置に必要なキッティング部材の有無や、通信機器の破損の有無、ディップスイッチの設定、通信機器のランプ点灯状態、最新ファームウエアの有無等も含まれる。また、設置環境情報とは、設定者が入力する通信設備の設置先の情報であり、通信機器のシリアルナンバー、設置される局舎、接続される上位ノードまでの距離などが含まれる。
【００１４】
さらに、本発明において、上位ノードとは、既設の通信設備を意味し、局舎の内外に設置されるものの両方を含み、また、通信インターフェースとは、上記通信ネットワークとは異なる通信ネットワーク及び通信機器を意味し、有線・無線ＬＡＮなど、少なくとも通信ネットワークとは異なるアドレス空間を有する。
【００１５】
これらのような本発明によれば、情報管理部は、取得される設定要求に応じて、設定情報蓄積部を照合して設定情報を読み出し、通信ネットワークを通じて設定情報を導入させているので、設置場所以外において、通信設備の設定処理が実行可能となる。そのため、現場に向かう前に、予め通信設備に設定処理を行うことができ、現地においては通信設備を上位ノードに接続することのみで、即時に通信ネットワークと疎通可能とし、設置スピードを高めることができる。
【００１６】
また、本発明によれば、通信知識が高くない作業員であっても通信設備の設定が可能となるため、通信設備の品質低下を防止することができるとともに、通信機器を設置するためのコストを低減させることができる。また、本発明によれば、現地で上位ノードと接続処理をする作業員に対して詳細な設定情報を通知させることを必要としていないため、セキュリティを高めることができる。さらに、本発明によれば、設定情報を設定情報蓄積部に蓄積しているので、通信機器設置に関する情報を一元化して、情報の共有及び情報管理を行うことができ、設計情報の連絡漏れや誤情報の伝達が生じることを防止することができる。
【００１８】
また、試験情報とは、各モジュールの動作確認、及び通信レベルの確認等の確認を行うために必要な、テスト動作の動作パターンと、その結果を評価するための出力レベルや信号パターン、バジェット値（ロスバジェット：光送信モジュール出力光パワーと光受信モジュールの受信感度の差で決まる、光伝送路に許容される伝送損失値）などが含まれる。この場合には、設定処理の後に試験情報に応じたテストパターンを動作させて出力信号を試験装置に検出させるとともに、その出力信号による動作結果を評価しているので、設定後の動作確認を行うことができるため、通信設備の品質を向上させることができるとともに、設定後の不具合の確立を軽減させ、作業員が再度局舎に出向くことを防止でき、通信機器を設置するためのコストを低減させることができる。
【００１９】
上記発明において、情報管理部は、情報の読み出し及び導入に関する処理の実行結果を、実行処理履歴として記録する履歴収集部をさらに備えることが好ましい。この場合には、情報の読み出し及び導入に関する処理の実行結果をログ情報として収集しているので、通信機器設置に関する情報を一元化して、情報の共有及び情報管理を行い、次回以降における通信機器の設置に用いることができる。
【００２０】
上記発明において、通信設備が接続される上位ノードの接続条件及び当該通信設備の設置環境に基づいた設定情報及び試験情報を、所定のプログラムを用いて生成する情報生成部をさらに備えることが好ましい。この場合には、設定情報及び試験情報を所定のプログラムを用いて生成しているので、システム全体として、大量のデータを蓄積することなく、通信ネットワークを通じて取得される設定要求、又は試験設定要求に応じて、適切な設定情報及び試験情報を作成し、実行させることができる。
【発明の効果】
【００２１】
以上述べたように、この発明によれば、基地局等の通信設備の設置に際し、通信機器を上位ノードに接続することのみで、即時に通信ネットワークと疎通可能として、設置工事の効率を向上させ、基地局を設置するためのコストを低減し、設置スピードを高めるとともに、通信機器設置に関する情報を一元化して、情報の共有及び情報管理を行うことができる
【図面の簡単な説明】
【００２２】
【図１】実施形態に係る設定管理システムの全体構成を示す概念図である。
【図２】実施形態に係る管理サーバ及びデータベース群の内部構成を示すブロック図である。
【図３】実施形態に係る情報処理端末及び設定試験サーバの内部構成を示すブロック図である。
【図４】実施形態に係る設定管理方法を示すフローチャート図である。
【図５】実施形態に係る設定管理方法を示すフローチャート図である。
【図６】実施形態に係る設定管理方法を示すフローチャート図である。
【図７】実施形態に係る設定管理方法を示すフローチャート図である。
【図８】実施形態に係る管理者側の表示部に表示されるシステム画面を示す説明図である。
【図９】実施形態に係る管理者側の表示部に表示されるシステム画面を示す説明図である。
【図１０】実施形態に係る情報処理端末側の表示部に表示されるシステム画面を示す説明図である。
【図１１】実施形態に係る情報処理端末側の表示部に表示されるシステム画面を示す説明図である。
【図１２】実施形態に係る情報処理端末側の表示部に表示されるシステム画面を示す説明図である。
【図１３】実施形態に係る情報処理端末側の表示部に表示されるシステム画面を示す説明図である。
【図１４】実施形態に係る情報処理端末側の表示部に表示されるシステム画面を示す説明図である。
【図１５】実施形態に係る情報処理端末側の表示部に表示されるシステム画面を示す説明図である。
【図１６】実施形態に係る情報処理端末側の表示部に表示されるシステム画面を示す説明図である。
【図１７】実施形態に係る情報処理端末側の表示部に表示されるシステム画面を示す説明図である。
【図１８】実施形態に係る情報処理端末側の表示部に表示されるシステム画面を示す説明図である。
【発明を実施するための形態】
【００２３】
（設定管理システムの全体構成）
以下に添付図面を参照して、本発明に係る設定管理システムの実施形態を詳細に説明する。図１は、本実施形態に係る設定管理システムの全体構成を示す概念図である。なお、本実施形態では、局舎Ａ２に通信設備３を設置する場合を例に説明する。
【００２４】
図１に示すように、本実施形態に係る設定管理システムは、通信ネットワーク５上の上位ノードに接続される通信機器の設定を管理するシステムであって、通信ネットワーク５には、管理サーバ２と、倉庫Ａ１に保管される通信設備３、情報処理端末１、及び設定試験サーバ８と備え、通信設備３は設定者Ｕ１によって、倉庫Ａ１において設定情報を設定されるとともに動作確認の試験が実行され、その後に局舎Ａ２に配送されて作業員Ｕ２において上位ノードと接続作業がされて局舎Ａ２内に設置される。
【００２５】
通信ネットワーク５は、通信プロトコルＴＣＰ／ＩＰを用いたＩＰ網であって、種々の通信回線（電話回線やＩＳＤＮ回線、ＡＤＳＬ回線、光回線などの公衆回線、専用回線、無線通信網）を相互に接続して構築される分散型の通信ネットワークである。このＩＰ網には、１０ＢＡＳＥ−Ｔや１００ＢＡＳＥ−ＴＸ等によるイントラネット（企業内通信ネットワーク）や家庭内通信ネットワークなどのＬＡＮなども含まれる。また、この通信ネットワーク５には、アナログ公衆電話網（ＰＳＴＮ：Public Switched Telephone Network）も含まれる。
【００２６】
管理サーバ２は、通信ネットワーク５上に配置され、通信設備３の初期設定を実行したり、設置作業に関する情報を管理したりするサーバ装置である。この管理サーバ２は、ＷＷＷ（Ｗｏｒｌｄ  Ｗｉｄｅ  Ｗｅｂ）等のドキュメントシステムにおいて、ＨＴＭＬ（Ｈｙｐｅｒ  Ｔｅｘｔ  Ｍａｒｋｕｐ  Ｌａｎｇｕａｇｅ）ファイルや画像ファイル、音楽ファイルなどの情報送信を行うサーバコンピューター或いはその機能を持ったソフトウェアであり、ＨＴＭＬ文書や画像などの情報を蓄積しておき、Ｗｅｂブラウザなどのクライアントソフトウェアの要求に応じて、インターネットなどのＩＰ網を通じて、これらの情報を送信する。
【００２７】
情報処理端末１は、ＣＰＵによる演算処理機能、及び通信インターフェースによる通信処理機能を備えた情報処理端末であり、パーソナルコンピュータ等の汎用コンピューターや、機能を特化させた専用装置により実現することができ、モバイルコンピューターやＰＤＡ（Personal Digital Assistance）、携帯電話機、スマートフォン、タブレットＰＣ等が含まれる。また、この端末は、インターネットにアクセスして、データの送受信を行うブラウザ機能も備えている。このブラウザ機能は、Ｗｅｂページを閲覧するためのアプリケーションソフトであり、インターネットからＨＴＭＬ（HyperText Markup Language）ファイルや画像ファイル、レイアウトを解析して表示・再生する。フォームを使用してユーザーがデータをＷｅｂサーバに送信したり、ＪａｖａＳｃｒｉｐｔ（登録商標）やＦｌａｓｈ、及びＪａｖａ（登録商標）などで記述されたアプリケーションソフトを動作させたりすることも可能である。なお、本実施形態において、情報処理端末１は、設定者Ｕ１がそれぞれ所有しており、倉庫Ａ１内には、複数配置されている。
【００２８】
通信設備３は、通信ネットワーク５上の上位ノードに接続される通信機器である。ここで、上位ノードとは、既設の通信設備を意味し、局舎の内外に設置されるものの両方を含み、通信設備３とは既存の電話回線、ｘＤＳＬ、光ファイバ、ＣＡＴＶ、又は無線通信などのアクセス網に設置される、多重化（集線）装置、交換機、スイッチ（例えば、ＤＳＬＡＭ、ＧＥ−ＰＯＮ、Ｅｔｈｅｒ−ＳＷなど）等のほか、例えば、２．１／２．５ＧＨｚ帯、９００ＭＨｚ帯などの無線通信や光ファイバなど、各種の回線を１つのシャーシに収容可能なマルチアクセスサービスノード（ＭＳＡＮ：Multi-Service Access Nodes）が含まれる。さらに、次世代通信ネットワーク（ＮＧＮ：Next Generation Network）上に配置されるパケット伝送装置（ＰＴＮ：Packet Transfer Node）も含まれる。
【００２９】
設定試験サーバ８は、倉庫Ａ１に配置され、通信設備３の初期設定や試験を実行するサーバコンピューター或いはその機能を持ったソフトウェアであり、管理サーバ２と通信設備３との間においてデータを中継する中継装置としての機能、或いは、管理サーバ２に代行して、通信設備３の設置環境によって生成された設定情報及び試験情報に基づいて、通信設備３に対して初期設定を設定するとともに試験を実行する機能を備える。なお、設定試験サーバ８は、ＬＡＮケーブル７を介して情報処理端末１及び通信設備３と接続されるとともに、通信ネットワーク５を介して管理サーバ２と接続されている。なお、設定試験サーバ８は、管理サーバ２からダウンロード可能な機能をすべて備える構成としてもよいし、一部の機能を逐次備える構成としてもよい。
【００３０】
本実施形態では、倉庫Ａ１内に初期設定前の通信設備３が複数保管されている。通信設備３は、設定処理実行時には、ＬＡＮケーブル７等の通信インターフェースによって、情報処理端末１、設定試験サーバ８及び試験装置４が接続可能となっており、ＬＡＮケーブル７により、通信ネットワーク５を介して管理サーバ２と接続されている。試験装置４は、通信設備３の動作に基づいて出力される出力信号を検出する装置であって、例えば、デジタル回線の信号を試験する装置等が含まれる。
【００３１】
また、局舎Ａ２は、図示しない加入者宅内と電話線や銅線等のメタリックケーブルや光ファイバケーブルにより接続されている。加入者宅内には、ターミナルアダプタ、モデム、ルータ等の宅内装置に接続され、該宅内装置を介して、データ通信が可能なパーソナルコンピュータ等の汎用コンピュータや、音声通話を行うための電話機が接続されている。なお、加入者宅に替えて、携帯無線基地局へのアクセス回線として前記携帯無線基地局に接続することができる。
【００３２】
（各装置の内部構成）
次いで、設定管理システムを構成する各装置の内部構成について説明する。
（１）管理サーバ２及びデータベース群２ａの内部構成
次いで、管理サーバ２及びデータベース群２ａの内部構成について説明する。図２は、本実施形態に係る管理サーバ２及びデータベース群２ａの内部構成を示すブロック図である。図２に示すように、データベース群２ａには、設定情報蓄積部２３１と、試験情報蓄積部２３２と、設置状況蓄積部２３３と、機器情報蓄積部２３４とを備えている。
【００３３】
設定情報蓄積部２３１は、通信設備３が接続される上位ノードの接続条件及び当該通信設備３の設置環境に基づいた設定情報を蓄積する記録装置である。ここで、設定情報とは、例えば、各プロトコルのアドレス情報、経路情報を示したルーティング情報、通信レベル情報、通信ネットワークの通信範囲を制限するフィルタリング情報などが含まれる。また、この設定情報には、通信機器を設置する際に必要なその他の情報が含まれ、例えば、通信機器の設置に必要なキッティング部材の有無や、通信機器の破損の有無、ディップスイッチの設定、通信機器のランプ点灯状態、最新ファームウエアの有無等も含まれる。また、設置環境（情報）とは、通信機器のシリアルナンバー、設置される局舎、接続される上位ノードまでの距離などが含まれる。
【００３４】
試験情報蓄積部２３２は、設定情報に応じたテストパターンと、当該テストパターンによる通信設備３の動作結果を評価するための評価情報とを含む試験情報を蓄積する記録装置である。ここで、試験情報とは、各モジュールの動作確認、及び通信レベルの確認等の確認を行うために必要な、テスト動作の動作パターンと、その結果を評価するための出力レベルや信号パターン、バジェット値（ロスバジェット：光送信モジュール出力光パワーと光受信モジュールの受信感度の差で決まる、光伝送路に許容される伝送損失値）などが含まれる。
【００３５】
設置状況蓄積部２３３は、通信設備３設置の開始から、基地局設置完了までの進捗情報を蓄積する装置であり、この進捗情報には、情報の読み出し及び導入に関する処理の実行結果を実行処理履歴として記録している。この設置状況蓄積部２３３は、管理サーバ２の運用者の操作や、情報処理端末１から送信された調査結果に基づいて各情報が蓄積されている。
【００３６】
機器情報蓄積部２３４は、情報処理端末１及び通信設備３等の各種機器のＭＡＣアドレス、ＩＰアドレスの通信規格や製品の形態等の機器に関する情報を蓄積する記録装置である。なお、これらの各記憶装置は、管理サーバ２の制御により、各情報が随時、変更可能であり、変更情報を記録する記憶手段として機能を備える。なお、データベース群２ａに対する情報の更新等は、管理サーバ２に常駐する管理者が入力インターフェースなどの操作デバイスを操作することで更新するようにしてもよい。
【００３７】
一方、管理サーバ２は、入力インターフェース２３、出力インターフェース２４と、通信インターフェース２１と、制御部２２とを備えている。入力インターフェース２３は、キーボード、マウスなどユーザー操作を入力するデバイスである。出力インターフェース２４は、ディスプレイやスピーカーなど、映像や音響を出力するデバイスである。特に、この出力インターフェース２４には、液晶ディスプレイなどの表示部２４ａが含まれている。この表示部２４ａには、各蓄積部に蓄積された情報を表示して閲覧可能であるとともに、新たな情報を入力可能となっている。
【００３８】
例えば、図８（ａ）に示すように、設置状況蓄積部２３３の情報に基づいて、設計管理に関する画面が表示される。この画面上では、既に設置された通信設備３の設定情報の詳細とＰ１と、操作ログに関する項目Ｐ２を含ませて表示可能である。また、例えば、図８（ｂ）に示すように、通信設備３の設置に必要な部材の情報を表示することもできる。さらに、図９（ａ）に示すように、試験後における通信レベルの測定結果の情報を表示することもできる。さらに、例えば、図９（ｂ）に示すように、各局舎に設置された通信設備３の一覧情報を表示させることもできる。
【００３９】
通信インターフェース２１は、通信ネットワーク５を通じて、情報処理端末１及び通信設備３との間でデータの送受信を行うインターフェースである。この通信インターフェース２１を通じて、例えば、設定試験サーバ８に対して、設定情報や基地局設置の通信機器設備設置支援用プログラム等が送信され、設定結果等が受信される。
【００４０】
制御部２２は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより、種々の機能モジュールを仮想的に構築し、構築された各機能モジュールによって、各部の動作制御、ユーザー操作に対する種々の処理を行っている。本実施形態において、制御部２２は、認証部２２１と、設定情報受付部２２２と、情報管理部２２３と、情報生成部２２４とを備えている。
【００４１】
認証部２２１は、アクセス者の正当性を検証するコンピュータ或いはその機能を持ったソフトウェアであり、例えば、ユーザー名とパスワードの組み合わせをアクセス者から取得し、アクセス者にその権利があるか否か、そのアクセス者が本人であるか否かなどを確認する。
【００４２】
設定情報受付部２２２は、局舎Ａ２に通信設備３を設置するための各情報を受け付けるモジュールであり、入力インターフェース２３を介して管理者からの入力を受け付け、通信設備３が接続される上位ノードの接続条件及び当該通信設備３の設置環境に基づいた設定情報や試験情報を設定情報蓄積部２３１に蓄積する。
【００４３】
情報管理部２２３は、設定情報蓄積部２３１に接続され、通信ネットワーク５を通じて取得される設定要求に応じて、設定情報蓄積部２３１を照合して、設定情報を読み出し、試験サーバ８の設定実行部８３ｂを介して通信設備３へ導入させるモジュールである。また、情報管理部２２３には、試験情報蓄積部２３２に接続され、通信ネットワーク５を通じて取得される試験情報要求に応じて、試験情報蓄積部２３２を照合して、試験情報を読み出し、通信設備３、試験装置４、又は試験実行部８３ｃのいずれかに導入させる機能を備えている。ここで、設定要求とは、所定の通信設備３に対して初期設定や試験を開始するための信号であり、管理者又は設定者Ｕ１によって操作された操作信号を示すものである。
【００４４】
さらに、情報管理部２２３には、試験結果評価部２２３ａと履歴収集部２２３ｂとを備えている。試験結果評価部２２３ａは、評価情報に基づいて、試験装置４により検出された出力信号によって、当該通信設備３の動作結果を評価するモジュールである。履歴収集部２２３ｂは、情報の読み出し及び導入に関する処理の実行結果を、実行処理履歴として記録するモジュールであり、取得した実行結果に基づいて、設置状況蓄積部２３３の情報を更新する。なお、履歴収集部２２３ｂが調査状況を更新した際には、その情報が設定情報蓄積部２３１にも反映されて、通信設備３が接続される上位ノードの接続条件及び当該通信設備３の設置環境に基づいた設定情報が変更されるようになっている。
【００４５】
情報生成部２２４は、通信設備３が接続される上位ノードの接続条件及び当該通信設備３の設置環境に基づいた設定情報及び試験情報を、所定のプログラムを用いて生成するモジュールである。生成したプログラムは、設定情報蓄積部２３１に蓄積される。
【００４６】
（２）情報処理端末１及び設定試験サーバ８の内部構成
次いで、情報処理端末１及び設定試験サーバ８について説明する。図３（ａ）は、本実施形態に係る情報処理端末１の内部構成を示すブロック図であり、同図（ｂ）は、本実施形態に係る設定試験サーバ８の内部構成を示すブロック図である。
【００４７】
先ず、情報処理端末１について説明する。情報処理端末１は、図３（ａ）に示すように、ユーザーインターフェース系のモジュールとして入力インターフェース１２と、出力インターフェース１３とを備えている。入力インターフェース１２は、キーボード、マウス、またはタッチパネルなどユーザー操作を入力するデバイスである。出力インターフェース１３は、ディスプレイやスピーカーなど、映像や音響を出力するデバイスである。特に、この出力インターフェース１３には、液晶ディスプレイなどの表示部１３ａが含まれている。
【００４８】
また、情報処理端末１は、通信系のモジュールとして通信インターフェース１１を備えている。通信インターフェース１１は、データ通信を行うための通信インターフェースであり、無線等による非接触通信や、ケーブル，アダプタ手段等により接触（有線）通信をする機能を備えている。さらに、情報処理端末１は、メモリ１５を備えている。メモリ１５は、各種データを蓄積するための記憶装置であり、管理サーバ２から取得した設置情報を蓄積してもよい。また、情報処理端末１は、アプリケーション実行系のモジュールとして、アプリケーション実行部１４を備えている。アプリケーション実行部１４は、一般のＯＳやブラウザソフトなどのアプリケーションを実行するモジュールであり、通常はＣＰＵ等により実現される。
【００４９】
アプリケーション実行部１４のＵＩ制御部１４ａは、ブラウザソフトによって表示部１３ａ上に通信設備３設置に関する各項目を表示するとともに、設定者Ｕ１の入力を受け付けるユーザーインターフェースを制御するモジュールである。具体的には、ＵＩ制御部１４ａは、ブラウザソフトによって管理サーバ２と接続し、設置すべき通信設備３に関する各項目を表示部１３ａに表示させる。また、ＵＩ制御部１４ａは、画面上において、通信設備３に関する上位ノードの接続条件及び通信設備３の設置環境の入力を受け付け、入力された設置環境に基づいた設置環境情報を設定要求として、通信ネットワーク５を介して管理サーバ２に送信する設定要求部としての機能を有する。
【００５０】
次いで、設定試験サーバ８の内部構成について説明する。設定試験サーバ８は、図３（ｂ）に示すように、アプリケーション実行部８３と、有線インターフェース８１と、メモリ８２とを備えている。
【００５１】
有線インターフェース８１は、ケーブル，アダプタ手段等により接触（有線）通信をするインターフェースであり、通信ネットワーク５を介して管理サーバ２と接続されるとともに、ＬＡＮケーブル７を介して情報処理端末１及び通信設備３と接続されている。そして、有線インターフェース８１は、管理サーバ２から設定情報、試験情報を取得するとともに、設定結果等を管理サーバ２に送信する。なお、有線インターフェース８１には、無線等による非接触通信を行う機能を含めてもよい。
【００５２】
メモリ８２は、各種データを蓄積するための記憶装置であり、管理サーバ２から取得した、通信機器設備設置支援用プログラム、設定情報、及び試験情報等を取得して蓄積している。このプログラム及び各種のデータは、通信ネットワーク５を通じて管理サーバ２から適宜取得することができるようになっており、設定要求された通信設備３に対応する設定情報や試験情報が、設定試験サーバ８内にない場合には、管理サーバ２から即時に取得可能となっている。本実施形態では、設定試験サーバ８には、変更が少ない通信設備３毎の設定項目、試験項目等が予め蓄積されており、設置環境に応じた設定又は試験に関するパラメータは、逐次管理サーバ２から取得するようになっている。
【００５３】
また、設定試験サーバ８では、管理サーバ２にアクセスして、メモリ８２内のデータが最新か否かを判断するようになっており、必要なデータ等を、定期的に或いは逐次、更新しているものとする。このデータの更新時期としては、所定の時間間隔毎に行ってもよく、設定要求などの処理が発生する毎に行うこともできる。
【００５４】
アプリケーション実行部８３は、管理サーバ２に代行して通信設備３に対して、設定情報、及び試験情報等を導入させるモジュールであり、通信機器設備設置支援用プログラムがインストールされると、アプリケーション実行部８３において設置管理プログラムが実行可能となる。そして、このアプリケーション実行部８３は、機器検知部８３ａと、設定実行部８３ｂと、試験実行部８３ｃとを備えている。
【００５５】
機器検知部８３ａは、ＬＡＮケーブル７上に複数接続されている通信設備３の中から設定対象となる通信設備３を特定するモジュールであり、例えば、メモリ８２内に通信設備３のシリアルナンバーを蓄積し、通信設備３のシリアルナンバーを照合することで、通信設備３を特定する。このような機器検知部８３ａによって、複数の通信設備３を特定することで、倉庫Ａ１内において複数の通信設備３を同時に設定及び試験の処理を実行することができる。
【００５６】
設定実行部８３ｂは、設定要求に応じて読み出された設定情報を、ＬＡＮケーブル７を通じて、通信設備３に導入させるモジュールであり、例えば、情報処理端末１の画面上に表示された「導入開始」アイコンがクリック操作されることで、その操作信号が管理サーバ２を介して、設定要求として設定実行部８３ｂに入力される。その後、設定実行部８３ｂは、メモリ８２又は設定情報蓄積部２３１を照合して、設定要求に応じた設定情報を読み出し、通信設備３に設定情報を導入する。なお、この際、管理サーバ２から取得される設定要求には、当該通信機器の設定に関するパラメータが含まれ、設定実行部８３ｂは、このパラメータに基づいて設定処理を行う。
【００５７】
試験実行部８３ｃは、試験情報要求に応じて読み出された試験情報を、ＬＡＮケーブル７を通じて、通信設備３に入力させ、当該試験情報に応じたテストパターンを動作させ、その出力信号を、試験装置４に検出させるモジュールであり、例えば、情報処理端末１の画面上に表示された「試験開始」アイコンをクリック操作することで、その操作信号が管理サーバ２を介して、試験情報要求として試験実行部８３ｃに入力される。その後、試験実行部８３ｃは、メモリ８２又は試験情報蓄積部２３２を照合して、試験情報要求に応じた試験情報を読み出し、通信設備３に試験情報を導入する。なお、この際、管理サーバ２から取得される試験情報要求には、当該通信設備３の試験に関するパラメータが含まれ、試験実行部８３ｃは、このパラメータに基づいて試験を実行する。
【００５８】
なお、図示していないが、通信設備３には、情報処理端末１、設定試験サーバ８、試験装置４、及び管理サーバ２と接続するための通信インターフェースと、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算処理装置を備えており、情報処理端末１、設定試験サーバ８、試験装置４及び管理サーバ２からの操作信号に応じて、設定情報や動作プログラムがメモリ内に蓄積され、設定処理後には、通信処理可能となっている。
【００５９】
（設定管理方法）
以上の構成を有する設定管理システムを動作させることで、本発明の設定管理方法を実施することができる。図４〜７は、本実施形態に係る設定管理方法を示すフローチャート図であり、図１０〜１８は、情報処理端末１の表示部１３ａに表示される画面情報を示す説明図である。
【００６０】
図４に示すように、先ず、管理者が所定の局舎Ａ２に通信設備３を設置する指示を設定者Ｕ１に対して指示を行う。そして、設定者Ｕ１は、倉庫Ａ１において、通信ネットワーク５に接続可能なＬＡＮケーブル７を通じて、設定試験サーバ８と通信設備３とを接続する（Ｓ１０１）。
【００６１】
この状態で、情報処理端末１のＵＩ制御部１４ａは、通信設備３の装置番号や局舎名などの設置環境情報の入力を設定者Ｕ１から受け付ける。入力された設置環境情報は設定要求として、通信ネットワーク５を通じて管理サーバ２の情報管理部２２３に送信される。情報管理部２２３では、取得された設定要求に応じて、設定情報蓄積部２３１を照合し、設定情報を読み出す。その後、設定試験サーバ８の設定実行部８３ｂによって通信設備３において各設定情報が手順毎に導入させるようになっている。
【００６２】
ここで、設定情報の導入について詳述する。なお、以下の処理において、情報の読み出し及び導入に関する処理の実行結果は、管理サーバ２に送信され、管理サーバ２側が取得した際には、実行処理履歴として設置状況蓄積部２３３に記録するものとする。
【００６３】
先ず、情報管理部２２３及び設定試験サーバ８と通信設備３とが接続された状態で、設定者Ｕ１は、ブラウザソフトを実行して、表示部１３ａにＷｅｂページを表示させて、情報処理端末１からＩＤ及びパスワード等を入力すると、その情報が管理サーバ２に送信されて、認証処理が行われる（Ｓ１０２）。承認された場合には、管理サーバ２は、対象機器の入力を受け付けるＷｅｂデータを送信し（Ｓ１０３）、表示部１３ａ上には、対象機器の選択画面が表示される（Ｓ１０４）。この選択画面は、例えば、選択可能な対象機器をプルダウンメニューから選択してもよいし、対象機器のホストネームを入力させるものであってもよい。また、選択画面には、先ず、設置場所となる局舎名から検索も可能となっている。
【００６４】
このとき、選択すべき機器がメニュー上にない場合や、不明である場合には（Ｓ１０に５おける“Ｎ”）では、管理サーバ２の管理者に問い合わせ等を行う。画面上に選択すべき機器がある場合（Ｓ１０５における“Ｙ”）、設定者Ｕ１の操作信号を取得すると（Ｓ１０６）、通信機器の情報が設定要求とともに設定試験サーバ８へ送信される。
【００６５】
管理サーバ２では、設定要求とともに対象機器の情報を受信すると（Ｓ１０７）、設定情報蓄積部２３１を照合し、設定情報のうち、当該通信設備３のチェック画面データを送信する（Ｓ１０８）。情報処理端末１の表示部１３ａ上には、図１０に示すように、通信設備３の設置に必要なキッティング部材の項目や、部材のシリアルナンバー及び財番情報の入力項目が表示される（Ｓ１０９）。設定者Ｕ１は、この画面に基づいて、キッティング部材を用意してチェック項目にチェックを入力するとともにシリアルナンバー等を入力し（Ｓ１１０）、確認終了アイコンを押す。
【００６６】
ＵＩ制御部１４ａは、全項目にチェックがされていない場合やシリアルナンバー等が入力されていない場合には（Ｓ１１１における“Ｎ”）、全項目が入力される確認画面を表示させて確認指示を行う。全項目が入力された場合には（Ｓ１１１における“Ｙ”）、その情報は管理サーバ２に送信される。
【００６７】
情報管理部２２３は、確認情報を受信すると（Ｓ１１２）、次いで、対象シャーシの確認指示画面データを送信する（Ｓ１１３）。情報処理端末１の表示部１３ａ上には、図１１に示すように、対象シャーシのピン曲がりや傷、歪み等の確認すべき部分とその手順とを表す画像が表示される（Ｓ１１４）。
【００６８】
設定者Ｕ１はこの画面に基づいて対象シャーシを確認する。ＵＩ制御部１４ａは、確認終了アイコンがクリックされない場合には（Ｓ１１５における“Ｎ”）、確認画面を表示させて確認指示を行う。設定者Ｕ１が確認後、確認終了アイコンをクリックすると（Ｓ１１５における“Ｙ”）、その情報は管理サーバ２へ送信される。
【００６９】
情報管理部２２３は、確認情報を取得すると（Ｓ１１６）、次いで、ディップスイッチ確認指示画面データを送信する（Ｓ１１７）。情報処理端末１の表示部１３ａ上には、図１２に示すように、ディップスイッチの設定画面が表示される（Ｓ１１８）。
【００７０】
次いで、設定者Ｕ１は、この画面に基づいてディップスイッチを設定する。ＵＩ制御部１４ａは、図５に示すように、確認終了アイコンがクリックされない場合には（Ｓ２０１における“Ｎ”）、確認画面を表示させて確認指示を行う。設定者Ｕ１が確認後、確認終了アイコンをクリックすると（Ｓ２０１における“Ｙ”）、その情報は管理サーバ２へ送信される。
【００７１】
情報管理部２２３は、確認情報を取得すると（Ｓ２０２）、次いで、キッティング指示画面データを送信する（Ｓ２０３）。情報処理端末１の表示部１３ａ上には、図１３に示すように、通信設備３のキッティング設定画面が表示される（Ｓ２０４）。
【００７２】
設定者Ｕ１はこの画面に基づいて通信設備３の配置、配線処理を行う。ＵＩ制御部１４ａは、確認終了アイコンがクリックされない場合には確認画面を表示させてキッティング指示を行う。設定者Ｕ１が配置及び配線後、終了アイコンをクリックすると（Ｓ２０５）、その情報は管理サーバ２へ送信される。
【００７３】
情報管理部２２３は、確認情報を取得すると（Ｓ２０６）、次いで、電源投入指示画面データ及びランプ状態確認指示画面データを送信する（Ｓ２０７）。情報処理端末１の表示部１３ａ上には、図１４に示すように、通信設備３のキッティング設定画面が表示される（Ｓ２０８）。なお、ランプが点灯される部分は、図中のＰ１〜Ｐ３部分である。
【００７４】
設定者Ｕ１はこの画面に基づいて通信設備３に電源を投入させるとともに、ランプ点灯状態の確認を行う。ＵＩ制御部１４ａは、確認終了アイコンがクリックされない場合には（Ｓ２０９における“Ｎ”）確認画面を表示させて確認指示を行う。設定者Ｕ１がランプ点灯状態を確認して、終了アイコンをクリックすると（Ｓ２０９における“Ｙ”）、その情報は管理サーバ２へ送信される。
【００７５】
情報管理部２２３は、確認情報を取得すると（Ｓ２１０）、次いで、接続指示画面を送信する（Ｓ２１１）。表示部１３ａには、この接続指示画面が表示され、設定者Ｕ１はこの画面に基づいて、設定試験サーバ８とマネージメントポートを接続させる（Ｓ２１２）。設定試験サーバ８と接続されると、先ず、機器検知部８３ａは、接続された通信設備３のシリアルアンバー等を取得して、当該通信設備３を特定する。その後、設定試験サーバ８の設定実行部８３ｂは通信設備３と疎通確認を行い（Ｓ２１３）、共通初期設定処理を実行する（Ｓ２１４）。
【００７６】
この際、設定実行部８３ｂは、今まで入力された設置環境情報からメモリ８２を照合して、通信設備３の設定情報（設定項目等）を読み出すとともに、管理サーバ２から各項目のパラメータ等を取得する。ここで、設定される処理としては、初期アカウント削除処理、新アカウント登録処理、及びｒｏｏｔパスワード変更処理である。なお、初期設定に失敗した場合には、ログが出力され確認可能となっている。
【００７７】
次いで、図６に示すように、設定実行部８３ｂは、変更されたｒｏｏｔアカウントで再接続する（Ｓ３０１）。設定実行部８３ｂは、その後、当該ファームウエアが最新か否かを判別し（Ｓ３０２）、最新である場合には（Ｓ３０２における“Ｙ”）、ファームウエア確認処理を終了する（Ｓ３０４）。最新でない場合には（Ｓ３０２における“Ｎ”）、バージョンアップ処理を行い（Ｓ３０３）、ファームウエア確認処理を終了する（Ｓ３０４）。なお、フォームアップ処理に失敗した場合には、ログが出力され確認可能となっている。
【００７８】
その後、設定実行部８３ｂは、通信機器毎の設定処理を行う。この際、設定実行部８３ｂは、今まで入力された設置環境情報から設定情報蓄積部２３１を照合してメモリ８２に保存し、通信設備３の設定情報を読み出して行う（Ｓ３０５）。ここで、設定される処理としては、接続される上位ノードや、終端装置のアドレスの他、ネットワーク・ルーティングの設定、時刻、日付、月の設定、ＳＮＭＰ管理機能の設定等である。その後、設定試験サーバ８は、通信設備３のクロック設定を行う（Ｓ３０６）。
【００７９】
その後、全設定が正常に実行されたかを判断し（Ｓ３０７）、設定が完了していない場合（Ｓ３０７における“Ｎ”）、ログ画面を表示させ、設定者Ｕ１に確認指示を行い（Ｓ３０８）、全設定が正常に実行されるまで処理を繰り返す（Ｓ３０５〜Ｓ３０７）。正常に設定が完了した場合には（Ｓ３０７における“Ｙ”）、各モジュールが認識されているかを判断する（Ｓ３０９）。
【００８０】
各モジュールが認識されていない場合（Ｓ３０９における“Ｎ”）、ログ画面を表示させ、設定者Ｕ１に確認指示を行い（Ｓ３１０）、再度、設定情報を読み出して設定処理を再度行い（Ｓ３０５〜Ｓ３０９）、全設定が正常に実行されるまで処理を繰り返す。各モジュールが認識された場合には（Ｓ３０９における“Ｙ”）、ＤＰＣＡ冗長確認処理を行い（Ｓ３１１）、その後新アカウントで再接続する（Ｓ３１２）。
【００８１】
次いで、設定試験サーバ８は、試験処理を実行する。先ず、設定者Ｕ１は、通信設備３に試験装置４を接続するとともに、入力インターフェース１２を介してブラウザ上で試験情報要求を送信する。この際、設定試験サーバ８は、図７に示すように、入力された試験情報要求に応じ、試験情報蓄積部２３２を照合してメモリ８２に保存し、試験情報（試験項目等）を読み出すとともに、管理サーバ２から各項目のパラメータを取得し、通信設備３、試験装置４、又は試験実行部８３ｃのいずれかに導入させる（Ｓ４０１及びＳ４０２）。本実施形態では、試験情報のテストパターンの情報を試験実行部８３ｃに導入させて、表示部１３ａに表示させ、設定者Ｕ１が試験装置４にテストパターンの情報を入力するものとする。
【００８２】
その後、試験実行部８３ｃは、情報処理端末１に対して、先ず、アップリンクの通信レベルの測定指示を行う（Ｓ４０３）。情報処理端末１には測定指示画面が表示され、設定者Ｕ１の操作によって測定処理が実行される（Ｓ４０４）。具体的には、試験実行部８３ｃは、アップリンク測定用の試験情報を通信設備３に導入し、通信設備３において試験情報要求に応じて読み出された試験情報に応じたテストパターンを動作させ、その出力信号を試験装置４に検出させる。
【００８３】
そして、画面上１３ａには、図１５に示すように、測定結果の入力を受け付ける画面が表示されている。設定者Ｕ１は、この試験装置４で検出された測定結果を入力インターフェース１２によって、図１５に示す画面上の入力バーに数値を入力し、管理サーバ２へ送信する（Ｓ４０５）。入力された測定結果の情報は、試験結果評価部２２３ａに入力され、試験結果評価部２２３ａで、評価情報に基づいて、試験装置４により検出された出力信号によって、当該通信設備３の動作結果を評価する（Ｓ４０６）。なお、本実施形態での評価方法は、バジェット値の範囲内であるか否かに基づいて行われる。
【００８４】
評価として、測定結果が、所定のバジェット値の範囲内でない場合には（Ｓ４０６における“Ｎ”）、図１６に示すように、エラー画面が表示される。設定者Ｕ１は、この画面を確認して、装置の清掃及びケーブル等の抜き差し等の指示を行い、再測定を指示する。一方、バジェット値の範囲内である場合には（Ｓ４０６における“Ｙ”）、次いで、ダウンリンクの通信レベルの測定指示を行う（Ｓ４０７）。
【００８５】
情報処理端末１には測定指示画面が表示され、設定者Ｕ１の操作によって測定処理が実行される（Ｓ４０８）。具体的には、試験実行部８３ｃは、ダウンリンク測定用の試験情報を通信設備３に導入し、通信設備３において試験情報要求に応じて読み出された試験情報に応じたテストパターンを動作させ、その出力信号を試験装置４に検出させる。
【００８６】
そして、画面上１３ａには、図１７に示すように、測定結果の入力を受け付ける画面が表示されている。設定者Ｕ１は、この試験装置４で検出された測定結果を入力インターフェース１２によって、画面上の入力バーに数値を入力されると、その情報は管理サーバ２へ送信される（Ｓ４０９）。入力された測定結果の情報は、設定試験サーバ８に入力され、評価情報に基づいて、試験装置４により検出された出力信号によって、当該通信設備３の動作結果を評価する（Ｓ４１０）。
【００８７】
評価として、バジェット値の範囲内でない場合には（Ｓ４１０における“Ｎ”）、装置の清掃及びケーブル等の抜き差し等の指示を行い、再測定を指示する。一方、バジェット値の範囲内である場合には（Ｓ４１０における“Ｙ”）、次いで、設定環境情報を参照して、当該設置において１０００ＢＡＳＥ−Ｔを実装するか否かを判断する（Ｓ４１１）。
【００８８】
実装予定がない場合には（Ｓ４１１における“Ｎ”）、出荷作業指示を送信する（Ｓ４１６）。一方、実装予定がある場合には（Ｓ４１１における“Ｙ”）、使用する１０００ＢＡＳＥ−Ｔに対して設定処理を行う（Ｓ４１２）。具体的には、情報管理部２２３は、接続指示画面データを情報処理端末１に送信させる。情報処理端末１の表示部１３ａ上には、図１８（ａ）に示すような指示画面が表示される（Ｓ４１３）。設定者Ｕ１は、指示画面に基づいて、１０００ＢＡＳＥ−Ｔを空きポートに実装するとともに、ＵＴＰケーブルを接続して、リンクアップ確認アイコンをクリックし、接続確認操作信号を送信する（Ｓ４１４）  。
【００８９】
設定実行部８３ｂは、管理サーバ２を介して操作信号を取得し、接続確認を行う（Ｓ４１５）。接続確認がされない場合には（Ｓ４１５における“Ｎ”）、図１８（ｂ）に示すようなエラー画面を表示されて、１０００ＢＡＳＥ−Ｔの抜き差し等の指示を表示させ、接続確認されるまで同処理を繰り返す。
【００９０】
一方、接続確認がされた場合には（Ｓ４１５における“Ｙ”）、通信機器の電源を切り、出荷作業指示を送信する（Ｓ４１６）。表示部１３ａ上には、出荷作業に関する画面が表示され（Ｓ４１７）、設定者Ｕ１は、この画面を確認しつつ、通信設備３の梱包作業等を実行する。その後、作業員Ｕ２が現地にて通信設備３を上位ノードと接続する作業を行う。
【００９１】
（設定管理プログラム）
なお、上述した設定管理システム及び設定管理方法は、本実施形態に係る通信機器設備設置支援プログラムを、汎用コンピューター上で実行することにより実現することができる。
【００９２】
すなわち、上記本実施形態の設定管理プログラムを、Ｗｅｂサーバ等のコンピューターやＩＣチップにインストールし、ＣＰＵ上で実行することにより、上述した効果を奏する設定管理システムを容易に構築することができる。このプログラムは、例えば、通信回線を通じて配布することが可能であり、またスタンドアローンの計算機上で動作するパッケージアプリケーションとして譲渡することができる。
【００９３】
そして、このような本実施形態の設定管理プログラムは、汎用コンピューターで読み取り可能な記録媒体に記録することができ、このプログラムを記録したコンピューター読み取り可能な記録媒体によれば、汎用のコンピューターや専用コンピューターを用いて、上述した設定管理システムや設定管理方法を実施することが可能となるとともに、プログラムの保存、運搬及びインストールを容易に行うことができる。
【００９４】
（作用・効果）
以上説明した本実施形態によれば、管理サーバ２及び設定試験サーバ８は、取得される設定要求及び試験要求に応じて設定情報を読み出し、通信ネットワーク５を通じて設定情報を導入させているので、局舎Ａ２等の設置場所以外において、通信設備３の設定処理が実行可能となる。そのため、現場に向かう前に、予め通信設備３に設定処理を行うことができ、現地においては通信設備３を上位ノードに接続することのみで、即時に通信ネットワークと疎通可能とし、設置スピードを高めることができる。
【００９５】
また、本実施形態によれば、通信知識が高くない設定者Ｕ１又は作業員Ｕ２であっても通信設備３の設定が可能となるため、通信設備３の品質低下を防止することができるとともに、通信設備３を設置するためのコストを低減させることができる。また、本実施形態によれば、現地で上位ノードと接続処理をする設定者Ｕ１又は作業員Ｕ２に対して詳細な設定情報を通知させることを必要としていないため、セキュリティを高めることができる。
【００９６】
さらに、本実施形態によれば、設定情報を設定情報蓄積部２３１に蓄積しているので、通信設備３設置に関する情報を一元化して、情報の共有及び情報管理を行うことができ、設計情報の連絡漏れや誤情報の伝達が生じることを防止することができる。また、本実施形態では、倉庫Ａ１に設定試験サーバ８を構築し、設定試験サーバ８によって倉庫Ａ１内の通信設備３の設定処理等を実行可能としたので、管理サーバ２に対する処理負担を軽減することができるとともに、通信が集中するのを回避することができ、通信負荷を軽減することができる。
【００９７】
また、本実施形態において、情報管理部２２３又は設定試験サーバ８は、試験情報についても通信ネットワーク５を通じて導入し、通信設備３に当該試験情報に応じたテストパターンを動作させ、試験装置４により検出された出力信号によって、当該通信設備３の動作結果を評価しているので、設定後の動作確認を行うことができ、通信設備の品質を向上させることができるとともに、設定後の不具合の確立を軽減させ、作業員Ｕ２が再度局舎に出向くことを防止できるため、通信設備３を設置するためのコストを低減させる。
【００９８】
さらに、本実施形態において、情報管理部２２３又は設定試験サーバ８は、情報の読み出し及び導入に関する処理の実行結果を、実行処理履歴として記録する履歴収集部２２３ｂを備えているので、通信機器設置に関する情報を一元化して、情報の共有及び情報管理を行い、次回以降における通信機器の設置に用いることができる。
【００９９】
本実施形態において、情報生成部２２４は、通信設備３が接続される上位ノードの接続条件及び当該通信設備３の設置環境に基づいた設定情報及び試験情報を、所定のプログラムを用いて生成しているので、システム全体として大量のデータを蓄積することなく、通信ネットワーク５を通じて取得される設定要求、又は試験設定要求に応じて、適切な設定情報及び試験情報を作成し、実行させることができる。また、情報処理端末１には、ブラウザ機能のみ持たせているので、モバイルコンピューターやスマートフォン、タブレットＰＣ等、様々なデバイスを利用することができる。
【０１００】
（変形例）
なお、上述した実施形態では、管理サーバ２に蓄積された設定情報及び試験情報を含む各データ及びプラグラムを、設定試験サーバ８を介して通信設備３へ設定情報や試験情報等を導入したが、本発明は、これに限定するものではなく、例えば、設定試験サーバ８を倉庫Ａ１に配置せず、管理サーバ２が通信ネットワーク５を通じて通信設備３に対して設定情報及び試験情報を導入して、初期設定、試験を実行させてもよい。
【符号の説明】
【０１０１】
Ａ１…倉庫
Ａ２…局舎
Ｕ１…設定者
Ｕ２…作業員
１…情報処理端末
２…管理サーバ
２ａ…データベース群
３…通信設備
４…試験装置
５…通信ネットワーク
７…ＬＡＮケーブル
８…設定試験サーバ
１１…通信インターフェース
１２…入力インターフェース
１３…出力インターフェース
１３ａ…表示部
１４…アプリケーション実行部
１４ａ…ＵＩ制御部
１５…メモリ
２１…通信インターフェース
２２…制御部
８１…有線インターフェース
８２…メモリ
８３…アプリケーション実行部
８３ａ…機器検知部
８３ｂ…設定実行部
８３ｃ…試験実行部
２２１…認証部
２２２…設定情報受付部
２２３…情報管理部
２２３ａ…試験結果評価部
２２３ｂ…履歴収集部
２２４…情報生成部
２３１…設定情報蓄積部
２３２…試験情報蓄積部
２３３…設置状況蓄積部
２３４…機器情報蓄積部
【要約】
【課題】通信設備を上位ノードに接続することのみで、即時に通信ネットワークと疎通可能として、設置コストを低減し、且つ、設置スピードを高めるとともに、設置情報の共有及び情報管理を行う。
【解決手段】通信ネットワーク５を通じて取得される設定要求に応じて、通信設備３が接続される上位ノードの接続条件及び通信設備３の設置環境に基づいた設定情報を読み出し、通信設備３へ導入させる情報管理部２２３と、通信ネットワーク５を通じて、通信設備３と情報管理部２２３とを接続するＬＡＮケーブル７と、通信設備３に関する上位ノードの接続条件及び当該通信設備３の設置環境に基づいた設置環境情報を設定要求として、ＬＡＮケーブル７を通じて情報管理部に送信し、設定要求に応じて読み出された設定情報を、ＬＡＮケーブル７を通じて、情報管理部２２３から通信設備３に導入させる設定実行部８３ｂとを備える。
【選択図】  図１【図１】
0005537710.tif 000002
【図２】
0005537710.tif 000003
【図３】
0005537710.tif 000004
【図４】
0005537710.tif 000005
【図５】
0005537710.tif 000006
【図６】
0005537710.tif 000007
【図７】
0005537710.tif 000008
【図８】
0005537710.tif 000009
【図９】
0005537710.tif 000010
【図１０】
0005537710.tif 000011
【図１１】
0005537710.tif 000012
【図１２】
0005537710.tif 000013
【図１３】
0005537710.tif 000014
【図１４】
0005537710.tif 000015
【図１５】
0005537710.tif 000016
【図１６】
0005537710.tif 000017
【図１７】
0005537710.tif 000018
【図１８】
0005537710.tif 000019